(57)【要約】【課題】従来の電気掃除機として塵埃を排出する際、排出蓋に該排出蓋の開放動作に連動して集塵容器本体内の塵埃を掻き出すための排出促進部材を設けることが提案されているが、排出促進部材がある位置よりも多くの塵埃が溜められた場合には、この塵埃の固まりが排出促進部材の動きを邪魔して、排出蓋を開放することが困難となる。【解決手段】電動送風機を内蔵する掃除機本体と、該掃除機本体に着脱自在に設けられて集塵ケースとを備えた電気掃除機において、前記集塵ケース内に塵埃を捕集する塵埃収容器を設け、該塵埃収容器は、前記集塵ケースの開口部から突出可能に設けるようにした。【選択図】図６
2007244538.tif 000002
【特許請求の範囲】
【請求項１】
電動送風機を内蔵する掃除機本体と、該掃除機本体に着脱自在に設けられた集塵ケースとを備えた電気掃除機において、
前記集塵ケース内に塵埃を捕集する塵埃収容器を設け、
該塵埃収容器は、前記集塵ケースの開口部から突出可能に設けたことを特徴とする電気掃除機。
【請求項２】
請求項１において、
前記塵埃収容器は、外郭形状を保つ支骨と、この支骨に張られた集塵フィルタとを有することを特徴とする電気掃除機。
【請求項３】
請求項１または２において、
前記塵埃収容器は、一部が前記開口部から突出した状態においては他の部分が前記集塵ケース内に位置していることを特徴とする電気掃除機。
【請求項４】
請求項１から３のいずれかにおいて、
前記集塵ケースの開口部を開閉する開閉蓋を設け、該開閉蓋には塵埃が流入する流入口を設けたことを特徴とする電気掃除機。
【請求項５】
請求項４において、
前記塵埃収容器の開口部は前記流入口に対向させたことを特徴とする電気掃除機。
【請求項６】
電動送風機を内蔵する掃除機本体と、該掃除機本体に着脱自在に設けられて集塵ケースとを備えた電気掃除機において、
前記集塵ケースは、開口部と、該開口部を覆う開閉蓋とを備え、
該開閉蓋は、前記集塵ケース内に塵埃を流入させるための流入口を備え、
前記集塵ケース内に塵埃を捕集するフィルタを設け、
該フィルタを、前記集塵ケースの開口部から突出可能に設けて前記フィルタで集塵した塵埃を排出するように構成したことを特徴とする電気掃除機。
【発明の詳細な説明】
【技術分野】
【０００１】
本発明は、集塵ケースに集塵された塵埃の排出が容易にできる電気掃除機に関するものである。
【背景技術】
【０００２】
集塵ケースに集塵された塵埃の排出が容易にできる電気掃除機は、例えば、特開2003−１９０９４号公報（特許文献１）に記載されている。
【０００３】
特許文献１に示される電気掃除機は、掃除機の本体ケースに着脱自在なる集塵容器を備え、集塵容器には上部にフィルタを、下部に開閉自在なる底蓋を備えている。集塵容器が集塵した塵埃で一杯になったらゴミ捨てをする。
【０００４】
ゴミ捨ては、本体ケースから集塵容器を外し、集塵容器に底側にごみ箱等を位置させ、底蓋を開くことにより、集塵容器の集塵がごみ箱等に廃棄されるので容易に行われる。
【０００５】
また、例えば、特開２００５−１５２３８０号公報（特許文献２）に記載されている。特許文献２に示されている電気掃除機は、掃除機の本体ケースに着脱自在なる集塵容器を備え、集塵容器は、容器本体と容器本体の開放部を開閉すべく容器本体に設けられた排出蓋とを有し、排出蓋には、排出蓋の開放動作に連動して容器本体内の塵埃を掻き出すための排出促進板が設けられている。集塵容器を取り外して排出蓋を開けると、排出促進板が集塵容器の底部に溜められた塵埃を掻き出す構成である。
【０００６】
【特許文献１】特開２００３−１９０９４号公報
【特許文献２】特開２００５−１５２３８０号公報
【発明の開示】
【発明が解決しようとする課題】
【０００７】
集塵容器本体に溜められた塵埃は、電動送風機に所定の吸引力を発揮させ続けるために掃除終了後あるいは定期的に捨てる必要があり、このときには塵埃に触れることなく簡単に容器本体から捨てることが衛生上、望ましい。
【０００８】
電気掃除機を運転している間は集塵容器を通過する空気流により、綿ゴミなどの軽くてフワフワした繊維塵は圧縮された固まりとなり易い。しかしながら、電気掃除機の運転を停止すると空気流による圧縮力が無くなり、圧縮された塵埃の固まりが広がり、塵埃の固まりの体積が大きくなる。このため、特許文献１に記載の発明では、集塵容器本体の排出蓋が開けられても塵埃の固まりが容器本体の内部に引っ掛り塵埃が落ちてこないことがある。この場合、集塵容器本体の内部に引っ掛った塵埃を手または棒等で掻き出す必要があり、衛生的な作業はとは言えず好ましいことではない。
【０００９】
また、特許文献１の課題を解決するために、特許文献２に記載の発明のように排出蓋に該排出蓋の開放動作に連動して集塵容器本体内の塵埃を掻き出すための排出促進部材を設けることが提案されているが、排出促進部材がある位置よりも多くの塵埃が溜められた場合には、この塵埃の固まりが排出促進部材の動きを邪魔して、排出蓋を開放することが困難となる。この結果、塵埃の排出が困難となる。また、排出促進部材と集塵容器の隙間に塵埃が入り込んだ場合も、排出促進部材を動かすことが困難となるので、排出蓋を開放することが困難となる。さらに、特許文献２の図６に示されているように、排出蓋を開いた場合には排出促進部材が塵埃を排出する開口部を塞ぐ形となるので、排出促進部材より上にあった塵埃が排出促進部材の上に載り、使用者が排出促進部材の上に載った塵埃を掻き出さなければならず、衛生的に好ましくないといった問題があった。加えて、排出促進部材の上に載った塵埃を掻き出さずに排出蓋を閉じようとすると、排出促進部材と集塵容器とに挟まれて塵埃が邪魔をして排出蓋を閉じることができないといった問題があった。
【００１０】
本発明の目的は、上記問題を解決するためになされたものであり、集塵した塵埃を容易にかつ衛生的に排出できる電気掃除機を提供することにある。
【課題を解決するための手段】
【００１１】
上記目的を達成するために本発明の特徴とするところは、電動送風機を内蔵する掃除機本体と、該掃除機本体に着脱自在に設けられて集塵ケースとを備えた電気掃除機において、前記集塵ケース内に塵埃を捕集する塵埃収容器を設け、該塵埃収容器は、前記集塵ケースの開口部から突出可能に設けたことにある。
【発明の効果】
【００１２】
本発明によれば、集塵容器内の塵埃を容易にかつ衛生的に排出できる電気掃除機を提供することができる。
【発明を実施するための最良の形態】
【００１３】
本発明の実施例について、図面を引用して説明する。
【００１４】
まず、図１，図２，図３に沿って電気掃除機の概要から説明する。
【００１５】
電気掃除機１は、掃除機本体２を有する。掃除機本体２は、下本体ケース３と上本体ケース４を有する。集塵ケース５は、掃除機本体２の前側内部に着脱自在に置かれる。
【００１６】
電動送風機６は、掃除機本体２の後側に内蔵されている。掃除機本体２に内蔵される除塵ユニット７は、電動送風機６と集塵ケース５との間に位置する。
【００１７】
蓋体８は、図１，図２に示すように、上本体ケース４に回動自在に支持される。掃除機本体２の前側内部には、集塵ケース５を収納する集塵ケース収納部９を有する。
【００１８】
集塵ケース５の出し入れは、図２に示すように蓋体８を開いて行い、掃除運転中には、蓋体８は閉じられている。
【００１９】
集塵ケース５は、図１および、後述する図５から図７に示すように、内部に塵埃を捕集するための塵埃収容器２０を備え、この塵埃収容器２０は集塵ケース５の開口部２５から突出可能に設けられている。この塵埃収容器２０は、一部が集塵ケース５の開口部２５から突出した状態においては他の部分が集塵ケース内に位置している。また、この塵埃収容器２０は、空気と塵埃とを分離する第１のフィルタとしての機能を有する。
【００２０】
集塵ケース５の後側には、波形のプリーツ加工されたフィルタを有するフィルタ部２１が備わる。このフィルタ部２１は、第２のフィルタとして機能し、図４に示すように、集塵ケース５に対して開閉自在に設けられる。フィルタ部２１の下部は集塵ケース５の下部に蝶番２３により回動自在に支持され、上部は集塵ケース５の上部に設けたフック２２に係止されている。
【００２１】
このフック２２が指で外されると、フィルタ部２１は下部の蝶番２３を支点として開かれる。なお、フック２２を操作する操作ボタンを集塵ケース５に設けることも可能である。
【００２２】
塵埃収容器２０は、大き目の粗塵を濾過捕集する。細かな細塵は、塵埃収容器２０を通過して集塵ケース５のフィルタ部２１に濾過捕集される。
【００２３】
除塵ユニット７は、図１に示すように除塵回転体２４を有する。この除塵体２４は、コードリール（図示せず）に巻装された電源コード（図示せず）の巻き解きに伴なって回転作動し、フィルタ部２１を振動させて、フィルタ部２１で捕集された微細な塵埃をフィルタ部２１から除塵する。このフィルタ部２１から除塵された微細な塵埃は下方に落下し、集塵ケース５の下部に設けたポケット５１に溜められる。なお、このポケット５１は電気掃除機の運転により集塵ケース５内を空気流が通過する際に、除塵された微細な塵埃が再飛散して、フィルタ部２１に再付着するのを防ぐように構成されている。ポケット５１に溜められた微細な塵埃は、集塵ケース５からフィルタ部２１を回動して集塵ケースの後方に開口部を開放した際、廃棄すると良い。この際、フィルタ部２１に付着した塵埃の除塵は、刷毛が付いたブラシでブラッシングしたり、水洗いにより行えばよい。フィルタ部
２１で捕集される塵埃は大部分が微細な塵埃である。このため、フィルタ部２１の波形のプリーツを弾いて微細な塵埃の除塵を行い易いという特徴も有する。
【００２４】
次に本発明の主要部になる集塵ケース５、および塵埃収容器２０について、図４〜図９を参照し説明する。
【００２５】
集塵ケース５は、前側に塵埃収容器２０が出没する出し入れ開口部２５を有する。開口部２５を開閉する開閉蓋としての前蓋２６は、集塵ケース５の前側に回動自在に設けられる。前蓋２６は、塵埃を含んだ含塵空気が流入する流入口３０を有する。この流入口３０を通過した含塵空気は塵埃収容器２０に流入する。塵埃収容器２０は流入口３０側(前側)が開口し奥側がフィルタ部材２０１などにより閉じられる容器状に形成される（空気の流れ的に見て上流側が開口し、下流側がフィルタ部材２０１で覆われている）。そして、塵埃収容器２０の開口部は流入口３０と対向させるように配置し、流入口３０から流入した塵埃が塵埃収容器２０で受け入れるようにしている。そして、塵埃収容器２０は塵埃が流れ込む流入口３０に向かって突出するようにしている。すなわち、第１のフィルタとしての塵埃収容器２０は、集塵ケース５の開口部２５から突出可能に設けられ、フィルタの上流側で捕集した塵埃を、空気の流れ方向（塵埃を吸込む方向）を剪断することなく、空気の流れ方向とは逆の上流側に向かって押し出すように排出する。このため、塵埃収容器
２０が集塵ケース５の開口部２５から突出する際の動作を阻害することがなく、塵埃収容器２０に収容した塵埃の廃棄を容易に行うことができる。
【００２６】
流入口３０には、塵埃収容器２０に溜った塵埃が逆流したり、吸引した塵埃が集塵ケース５からこぼれるのを防ぐ逆止弁３１が備わる。
【００２７】
前蓋２６の下部は、蝶番２７により集塵ケース５の外周側で前側下部に回動自在に支持される。集塵ケース５の上部には、前後に延びるハンドル２８を有する。ハンドル２８の先端側に閉じられた前蓋２６を閉じた状態に拘束する前蓋用拘束手段としてのクランプ部材２９を有する。また、前蓋２６の上部には、クランプ部材２９と係合する前蓋用拘束手段としての係止溝４０を設けている。この前蓋用拘束手段により、前蓋２６は閉じた状態に拘束されており、クランプ部材２９の係止を解くことにより、前蓋２６は前側に倒れるように開放する。
【００２８】
塵埃収容器２０は、上下に分割される少なくとも二つの塵埃収容器部片２０Ａ，２０Ｂを有する。塵埃収容器２０は左右に分割することも可能であるが、ここでは上下に分割された二つの塵埃収容器部片２０Ａ，２０Ｂに沿って説明する。
【００２９】
上側の塵埃収容器部片２０Ａと、下側の塵埃収容器部片２０Ｂとが上下に合わさり塵埃収容器２０が形成される。塵埃廃棄口２０２は、塵埃収容器２０の前側に設けられる。塵埃収容器２０の奥側／後側には、蝶番２０３が設けられる。二つの塵埃収容器部片２０Ａ，２０Ｂは、この蝶番２０３で回動自在に連結支持される。
【００３０】
蝶番２０３で回動自在に連結支持された二つの塵埃収容器部片２０Ａ，２０Ｂは、塵埃廃棄口２０２を拡げたり、狭めたりすることができる。また、蝶番２０３には、図１０に示すように、開放付勢バネ２０４が備わる。この開放付勢バネ２０４は、つるまきバネや板バネが用いられる。この、開放付勢バネ２０４につるまきバネを用いる際には、蝶番
２０３の支持軸（図示せず）に通して、支持するようにすることが望ましい。
【００３１】
この開放付勢バネ２０４により、二つの塵埃収容器部片２０Ａ，２０Ｂは、塵埃廃棄口２０２を拡げるように付勢される。
【００３２】
塵埃収容器２０は、二つの塵埃収容器部片２０Ａ，２０Ｂが合わさっている状態でも塵埃廃棄口２０２から奥側（空気の流れ的に見て上流側から下流側）に向かって狭くなる形状を有している。
【００３３】
つまり、塵埃収容器２０は、塵埃廃棄口２０２に向かって拡がっている。しかも溜った塵埃を捨てる際に二つの塵埃収容器部片２０Ａ，２０Ｂが塵埃廃棄口２０２を拡げるように開放する。
【００３４】
塵埃収容器２０は、外郭形状を保つ支骨２００と、この支骨２００に張られたフィルタ部材２０１とを有する。このフィルタ部材２０１は、メッシュ状の網フィルタとか、金網とか、微小な穴を有する金属板とか、微小な穴を有するプラスチックの板などで構成されているので、フィルタ部材２０１は粗塵を濾過捕集する。フィルタ部材２０１のうち、特に一番奥側の部分は吸込んだ塵埃が直接当り易いので、尖った物で穴が開かないように奥側フィルタ部材２０１ａをステンレス等の金属で構成された網を用いると良い。
【００３５】
塵埃収容器２０で捕集された綿ゴミなどの軽くてフワフワした繊維塵は、塵埃収容器
２０を通過する空気流により、圧縮された固まりとなり易い。また、塵埃収容器２０内で圧縮されて固まりとなった繊維塵により、塵埃収容器２０に流入した微細な塵埃の一部も捕集される。これらの、圧縮された塵埃の固まりは、電気掃除機の運転を停止すると空気流による圧縮力が無くなり、圧縮された塵埃の固まりが広がり、塵埃の固まりの体積が大きくなる。
【００３６】
しかし、塵埃収容器２０は、塵埃廃棄口２０２に向かって拡がっており、しかも溜った塵埃を捨てる際に二つの塵埃収容器部片２０Ａ，２０Ｂが塵埃廃棄口２０２を拡げるように開放するので、塵埃収容器２０に収容した圧縮された塵埃の固まりが広がった場合でも塵埃廃棄口２０２から容易に排出することができる。
【００３７】
この際、塵埃収容器２０に吸引された塵埃は空気流により、圧縮された固まりとなり易いので、塵埃収容器２０から塵埃廃棄口２０２を通じて排出する際も固まり状となって排出されるので、塵埃収容器２０に設けたフィルタ部材２０１には、塵埃の付着や絡み付きが少なく、目詰まりが生じにくい。このため、塵埃収容器２０に溜った塵埃を捨てるだけで、フィルタ部材２０１の除塵の手間を防ぐことができる。
【００３８】
また、塵埃収容器２０内で圧縮されて固まりとなった繊維塵により、塵埃収容器２０に流入した粉塵などの微細な塵埃の一部も捕集され、繊維塵が微細な粉塵を包んでいるので、塵埃収容器２０に溜った塵埃を捨てる際に、細塵の舞い上がりが生じず衛生的である。なお、塵埃収容器２０に流入した粉塵などの微細な塵埃の一部も捕集され、繊維塵が微細な粉塵を包んでいるので、微細な塵埃による塵埃収容器２０に設けたフィルタ部材２０１の目詰まりを生じにくいので、電気掃除機を運転した際の風量の低下を抑えることができ、吸引力の低下を抑えることができるので、被掃除面の塵埃を吸引する能力の低下を抑えることができる。
【００３９】
ここで、集塵ケース５を掃除機本体２に取り付ける前に、前蓋２６を開けた状態で塵埃収容器２０の凹部にティッシュペーパー等の使い捨ての集塵濾紙を入れた後、前蓋２６を閉じれば、塵埃収容器２０は前蓋２６に押されて集塵ケース５内の所定の位置に配置される。このようにした後、集塵ケース５を掃除機本体２に取り付け、電気掃除機１を運転して清掃を行えば、塵埃収容器２０内に吸引された塵埃は、フィルタ部材２０１の上流に配置したティッシュペーパー等の使い捨ての集塵濾紙内及び、その上流側に吸引された塵埃の大部分が堆積する。この状態で、集塵ケース５を掃除機本体２から取り出して塵埃を廃棄する際について述べる。塵埃収容器２０に吸引された塵埃は、空気流により圧縮された固まりとなり易いので、塵埃収容器２０の上流で、しかも塵埃収容器２０の凹部に配したティッシュペーパー等の使い捨ての集塵濾紙に包まれた状態にある。このため、塵埃廃棄口２０２を通じて塵埃を排出する際もほとんどの塵埃は、ティッシュペーパー等の使い捨ての集塵濾紙に包まれた固まり状の状態となって排出されるので、細塵の舞い上がりが生じず衛生的である。なお、上記では、ティッシュペーパー等の使い捨ての集塵濾紙の取り付けは、集塵ケース５を掃除機本体２から取り外して行ったが、集塵ケース５を掃除機本体２に取り付けた状態で電気掃除機１を運転し、掃除機本体２に接続したホース(図示せず)等の先からティッシュペーパー等の使い捨ての集塵濾紙を吸込んで、塵埃収容器２０の凹部に配置することも可能である。
【００４０】
さらに、ゴミ捨て前に集塵ケース５を掃除機本体２に取り付けた状態で電気掃除機１を運転し、掃除機本体２に接続したホース（図示せず）等の先からティッシュペーパー等の使い捨ての集塵濾紙を吸込んで、塵埃収容器２０に吸引堆積した塵埃の上流側・下流側ともティッシュペーパー等の使い捨ての集塵濾紙で包んだ後に塵埃を廃棄することも可能である。
【００４１】
このように、塵埃収容器２０の第１フィルタの上流側にティッシュペーパー等の使い捨ての集塵濾紙を配しておけば、第１フィルタに塵埃が付着しにくいとともに、第１フィルタの目詰まりを防ぐことができるので、吸引力の低下を防ぐことができる。
【００４２】
次に、下側の塵埃収容器部片２０Ｂは、塵埃廃棄口２０２の端部側の塵埃収容器部片
２０Ｂ下部に蝶番４１にて回動自在に支持される。なお、この蝶番４１は、集塵ケース５内で出し入れ開口部２５が形成されている鍔部４２の内側に位置する。
【００４３】
この蝶番４１と前蓋２６の蝶番２７は、集塵ケース５の前側に位置し、かつ隣り合う近傍に設けられる。このため、前蓋２６と、塵埃収容器部片２０Ｂの開閉作動は、一緒に揃って円滑に行われる。
【００４４】
なお、前蓋２６を開閉自在に支持する前蓋２６用支持箇所である蝶番２７を集塵ケース５の外周部に配し、塵埃収容器２０を開閉自在に支持するために塵埃収容器部片２０Ｂに設けた蝶番４１を前記集塵ケース５の内部に設けている。また、塵埃収容器２０を開閉自在に支持する蝶番４１は塵埃収容器２０の前部で、前蓋２６用支持箇所である蝶番２７に近い位置に配置している。このように配置しているので、前蓋２６と集塵ケース５の気密は、前蓋２６に取り付けた弾性体シール部材５２を設ければよい。
【００４５】
この弾性体シール部材５２が、前蓋２６を回動支持するる蝶番２７をまたぐ必要がないので、集塵ケース５と前蓋２６の気密を取る際は、弾性体シール５２と当接部５３が同一平面上に構成されるので、気密をとり易い。さらに、弾性体シール部材５２は、塵埃収容器２０を回動支持する蝶番４１もまたがないように構成できるので、弾性体シール部材
５２は前蓋２６と塵埃収容器２０間をシールする際には、弾性体シール５２と塵埃収容器部片２０Ａに設けたＡ当接部５４および、弾性体シール５２と塵埃収容器部片２０Ｂに設けたＢ当接部５５が同一平面上に構成されるので、気密をとり易い。さらに、ひとつの弾性体シール５２で、前蓋２６と集塵ケース５の気密を確保でき、前蓋２６と塵埃収容器
２０を構成する塵埃収容器部片２０Ａの気密を確保でき、前蓋２６と塵埃収容器２０を構成する塵埃収容器部片２０Ｂの気密を確保できる。また、前蓋２６に設けた弾性体シール５２との当接箇所を同一平面上に構成できるので、前蓋２６を集塵ケース５側へ付勢する方向のみの力を前蓋２６と集塵ケース５間に与えればよく、空気の漏れを起こし難い構造にすることができるので、吸込仕事率の低下やゴミのこぼれを防ぐことができる。さらに、流入口３０から流入した塵埃が塵埃収容器２０を通過せずにフィルタ部２１に短絡して流れるのを防ぐことができる。また、これらの前蓋２６に設けた弾性体シール５２との当接箇所を同一平面上で共通にすることにより、開閉作動に際し、前蓋２６と塵埃収容器
２０との間に位置ずれがなく、前蓋２６と塵埃収容器２０の開閉動作が更に円滑に行われる。
【００４６】
ここで、突き出し付勢バネ４３は、図１０に示すように、下側の塵埃収容器部片２０Ｂの前側下部に設けられる。この突き出し付勢バネ４３は、下側の塵埃収容器部片２０Ｂを集塵ケース５の外側に押し出すように付勢している。
【００４７】
この突き出し付勢バネ４３はつるまきバネで形成され、一端は下側の塵埃収容器部片
２０Ｂに設けたバネ係止部４４に係合され、他端は集塵ケース５に係合されている。この突き出し付勢バネ４３により、下側の塵埃収容器部片２０Ｂは集塵ケース５から突き出す方向の回転力が付与されている。
【００４８】
また、上側の塵埃収容器部片２０Ａは、出し入れ開口部２５の内側面に摺動自在に支持されており、この摺動自在なる支持により、塵埃収容器部片２０Ａは滑りながら集塵ケース５を出入するように作動する。このように構成しているので、前蓋２６が閉じた状態に拘束されているクランプ部材２９の係止を解くことにより、前蓋２６は前側に倒れ、二つの塵埃収容器部片２０Ａ，塵埃収容器部片２０Ｂが塵埃廃棄口２０２を拡げるように開放される。つまり、突き出し付勢バネ４３は塵埃収容器部片２０Ｂを集塵ケース５の外側に押し出すように付勢するとともに、塵埃廃棄口２０２を拡げるように二つの塵埃収容器部片２０Ａ，塵埃収容器部片２０Ｂを開放させる解放付勢バネの役割を兼ねることも可能である。
【００４９】
なお、突き出し付勢バネに代えてモータや人の操作力により、塵埃収容器部を外方に向けて押すような突き出し手段を設けることも可能である。
【００５０】
脱落防止手段の脱落防止部材４５は、上側の塵埃収容器部片２０Ａの外側に設けられる。脱落防止部材４５は、集塵ケース５の鍔部４２の上側に当接するように構成されている。脱落防止部材４５が鍔部４２の上側に当接することにより、上側の塵埃収容器部片20Ａは止められる。上側の塵埃収容器部片２０Ａはそれ以上外側に突き出さないので、塵埃収容器２０を構成する塵埃収容器部片２０Ａおよび塵埃収容器部片２０Ｂが拡がり、塵埃廃棄口２０２が拡がっているときは、塵埃収容器２０は集塵ケース５から脱落しない。
【００５１】
すなわち、塵埃収容器２０は、下側の塵埃収容器部片２０Ｂが蝶番４１で集塵ケース５に回動自在に支持され、上側の塵埃収容器部片２０Ａが出し入れ開口部２５に摺動自在に支持されるので、塵埃収容器２０は集塵ケース５から脱落しないように構成している。
【００５２】
この塵埃収容器２０には、突き出し付勢バネ４３や開放付勢バネ２０４により常に集塵ケース５の外側に押し出す力が作用している。前蓋２６は、その押し出す力に抗して塵埃収容器２０が突き出すのを止めている。
【００５３】
さて、前蓋２６用の拘束手段のクランプ部材２９を外すと、図５に示すように前蓋２６が手前に倒れるように開かれる。前蓋２６で抑えられていた塵埃収容器２０は、図６，図７に示すように、集塵ケース５の出し入れ開口部から外に突き出す。
【００５４】
この突き出しに伴い、上側の塵埃収容器部片２０Ａと下側の塵埃収容器部片２０Ｂが開き、塵埃廃棄口２０２が拡大する。塵埃収容器２０に溜まった塵埃は、拡がった塵埃廃棄口２０２から一気に放出される。
【００５５】
また塵埃収容器２０が、突き出し付勢バネ４３と解放付勢バネ２０４により勢いよく集塵ケース５外へ突き出して来たところを脱落防止手段４５で急激に止められるので、この衝撃により第１フィルタに付着した塵埃が剥離しやすく、塵埃収容器２０から塵埃の放出は更に良く行われるとともに、第１フィルタの目詰まりを防ぐことができるので、吸引力の低下を防ぐことができる。
【００５６】
ゴミ捨てを終えた塵埃収容器２０は、図４に示すように、集塵ケース５内に収められる。拡大していた塵埃廃棄口２０２が狭まるようにして、集塵ケース５に収め戻されるのである。
【００５７】
塵埃収容器２０の収納は、前蓋２６を閉じる動作に伴い行われる。前蓋２６の開閉軸である蝶番２７と、塵埃収容器２０の回転軸である蝶番４１が、集塵ケース５に対して同一方向である集塵ケース５の下部に配置しているので、前蓋２６と塵埃収容器２０を開閉する際の回転方向を同じにでき、前蓋２６を閉じると塵埃収容器２０を閉じることが可能である。
【００５８】
すなわち、出し入れ開口部２５と揃って前向きに置かれる塵埃廃棄口２０２は、前蓋
２６と向き合っている。前蓋２６を閉じて行くと、前蓋２６の内面側が塵埃収容器２０の前面側である塵埃廃棄口２０２に当接する。前蓋２６に押されて塵埃収容器２０は、集塵ケース５内に戻されて行く。
【００５９】
この塵埃収容器２０の押し戻しは、突き出し付勢バネ４３や開放付勢バネ２０４に抗して行われる。上側の塵埃収容器部片２０Ａの外面側は、出し入れ開口部２５の内側に押されて摺合っている。
【００６０】
このため、上側の塵埃収容器部片２０Ａは集塵ケース５内に入って行くにしたがい、下側の塵埃収容器部片２０Ｂに近づき、塵埃廃棄口２０２が狭まる。こうして、塵埃収容器２０は、集塵ケース５内に収められる。
【００６１】
このように、塵埃収容器２０の出し入れは、前蓋２６の開け，閉めにより行われるので容易である。また、塵埃収容器２０に触れずに、塵埃収容器２０の出し入れをすることができるので、衛生面でも好都合である。
【００６２】
塵埃収容器２０のメンテナンスは、図９に示すように、集塵ケース５から取り出して行う。塵埃収容器２０は、図７に示す状態において、上側の塵埃収容器部片２０Ａを下向きに押すことにより、脱落防止部材４５が鍔部４２から外れ、外部に取り出すことができる。取り出された塵埃収容器２０は、メンテナンスが容易にできる。また、集塵ケース５の内部掃除等も容易に行うことができる。
【００６３】
また、図８に示すように、フィルタ部２１を集塵ケース５から取り外して塵埃収容器
２０の背面側から行うことも可能である。この際に、ポケット５１に溜められた微細な塵埃も廃棄すると良い。
【図面の簡単な説明】
【００６４】
【図１】本発明の実施例に係わるもので、電気掃除機の縦断面図である。
【図２】本発明の実施例に係わるもので、蓋体を開いた状態を示す電気掃除機の外観図斜視図である。
【図３】本発明の実施例に係わるもので、集塵ケースの外観斜視図である。
【図４】本発明の実施例に係わるもので、集塵ケースの縦断面図である。
【図５】本発明の実施例に係わるもので、前蓋を開放して集塵ケースの前から見た斜視図である。
【図６】本発明の実施例に係わるもので、塵埃収容器が集塵ケースから抜け出し始めたところを示した斜視図である。
【図７】本発明の実施例に係わるもので、塵埃収容器が集塵ケースから抜け出し終えたところを示した斜視図である。
【図８】本発明の実施例に係わるもので、塵埃収容器が集塵ケースから抜け出し終えたところを塵埃収容器の背面／裏面から見た斜視図である。
【図９】本発明の実施例に係わるもので、塵埃収容器の全体を集塵ケースから出したところを示す斜視図である。
【図１０】本発明の実施例に係わるもので、塵埃収容器の単体／裏面を背面から示した斜視図である。
【符号の説明】
【００６５】
５…集塵ケース、２０…塵埃収容器、２０Ａ…塵埃収容器部片、２０Ｂ…塵埃収容器部片、２５…出し入れ開口部、２０２…塵埃廃棄口、２０３…蝶番。
【図１】
2007244538.tif 000003
【図２】
2007244538.tif 000004
【図３】
2007244538.tif 000005
【図４】
2007244538.tif 000006
【図５】
2007244538.tif 000007
【図６】
2007244538.tif 000008
【図７】
2007244538.tif 000009
【図８】
2007244538.tif 000010
【図９】
2007244538.tif 000011
【図１０】
2007244538.tif 000012